(57)【特許請求の範囲】
【請求項１】
芝台の中央には納骨空間を有し、この芝台上に下台、上台及び仏石等を積み上げ、又下台の正面には香炉を芝台に載せて配置したお墓において、香炉の正面には納骨口を設けると共に、該納骨口から納骨空間へ通じる傾斜した納骨道を設ける為に芝台の納骨空間の正面側一部を切欠き、そして、上記納骨口には換気口を有す納骨蓋を取り付け、該納骨蓋は納骨口に嵌る筒体の外周にバネを備え、該筒体より外径の大きなツバを設け、ツバの正面には家紋を形成すると共にツマミ又は持ち手を有したことを特徴とするお墓。
【請求項２】
芝台の中央には納骨空間を有し、この芝台上に下台、上台及び仏石等を積み上げ、又下台の正面には香炉を芝台に載せて配置したお墓において、香炉の正面には納骨口を設けると共に、香炉から下台を通過して納骨空間へ通じる傾斜した納骨道を設け、上記納骨口には換気口を有す納骨蓋を取り付け、該納骨蓋は納骨口に嵌る筒体の外周にバネを備え、該筒体より外径の大きなツバを設け、ツバの正面には家紋を形成すると共にツマミ又は持ち手を有したことを特徴とするお墓。
【請求項３】
芝台の中央には納骨空間を有し、この芝台上に下台、上台及び仏石等を積み上げ、又下台の正面には香炉を芝台に載せて配置したお墓において、香炉の正面には納骨口を設けると共に、該納骨口から納骨空間へ通じる傾斜した納骨道を設け、芝台及び下台を切欠くことなく上記納骨道が納骨空間へ通じるように香炉の後端部を該納骨空間の上に載せ、上記納骨口には換気口を有す納骨蓋を取り付け、該納骨蓋は納骨口に嵌る筒体の外周にバネを備え、該筒体より外径の大きなツバを設け、ツバの正面には家紋を形成すると共にツマミ又は持ち手を有したことを特徴とするお墓。
【発明の詳細な説明】
【０００１】
【発明の属する技術分野】
本発明は子供や女性であっても簡単に納骨をすることが出来るお墓に関するものである。
【０００２】
【従来の技術】
昔からの風習の違いによりお墓にも色々あり、又納骨の仕方も違っている。西日本では死人は土に返るといわれ、納骨は骨壺を用いることなく土の上に直接納められ、長い年月を経て骨は風化していく。風化して無くなるまでには何十年といった期間が経過することになるが、納骨された墓内部は空気の出入れがなく、湿気を帯びた空間となっている。従ってお骨には結露が発生し、特に質の良くない石を用いたお墓はこの結露現象が著しい。
【０００３】
又、従来のお墓には納骨する入口を塞ぐ為の大きな石が置かれている。これは墓の正面にある場合と後ろ側に設けている場合があるが、何れにしてもこの石を動かすことは容易でなく、子供や女性では不可能である。勿論、軽くて小さな石で納骨口を塞いだのでは、該石が位置ズレしたり、いたずらで簡単に取り外されては困ることから、従来ではこのような大きな石で塞いでいるのが実状である。
【０００４】
【本発明が解決しようとする課題】
このように、従来のお墓には上記のごとき問題がある。本発明が解決しようとする課題はこれら問題点であって、納骨が簡単に出来ると共に、納骨された内部空間に空気の出入れを可能とし、お骨に結露が生じないようにしたお墓並びに納骨蓋を提供する。
【０００５】
【課題を解決するための手段】
本発明のお墓は大きく重い石を取り除いて納骨する必要がないように、納骨口には納骨蓋が取り付けされ、この蓋を取り外すことで納骨が出来るようにしている。墓内部に設けてある納骨空間はお墓のベースと成る芝台中央部に設けられ、上記納骨口から該納骨空間までは傾斜した道が形成されている。従って納骨口から入れたお骨は傾斜した納骨道に沿って滑り落ち、所定の納骨空間に納まる。
【０００６】
上記納骨蓋は納骨口を塞ぐ為のものであって、手で簡単に取り外すことが出来るように正面には持ち手、又はツマミを有し、更に納骨空間に空気が出入りするように換気口を有している。この換気口の形状や位置は特に限定しないが、雨水が侵入しな位置に設ける方が好ましい。そして、納骨口に嵌るように嵌合部（筒体）を有し、筒体の周囲にはバネを取り付けし、蓋を嵌めた場合にバネ力が作用して安定して嵌るようになっている。以下、本発明に係る実施例を図面に基づいて詳細に説明する。
【０００７】
【実施例】
図１は本発明のお墓の具体例を示している外観図であり、ベースと成る芝台１には下台２が載り、下台２には上台３が、更にその上には蓮華４を置いて仏石５が積み上げられている。そして芝台１上には花立て６、６が両側に起立し、両花立て６、６の間には香炉７が配置され、該香炉７にはロウソク立てと線香立てを備えている。又仏石５の正面には南無阿弥陀仏や先祖代々の墓等の文字が形成されており、墓としての基本形態は従来のものと同じである。
【０００８】
図２はベース１の平面図を示しているが、角柱を成した石８ａ、８ｂを所定の間隔をおいて平行に配置すると共に、両石８ａ、８ｂの間に別の石９ａ、９ｂを配置している。そしてこれら４本の石８ａ、８ｂ、９ａ、９ｂにて囲まれた空間は納骨空間１０となり、床は地面となっている。勿論、重いお墓が載って耐え得るように地面は固められている。同図の一点斜線部には下台２が載る領域であり、その為に該下台２が載ることで納骨空間１０は閉じられた空間となる。
【０００９】
図３は芝台１に下台２と香炉７を載せた状態の縦断面図を示しているが、香炉７から下台２を通過して納骨空間１０へ導かれる納骨道１１が形成されている。この納骨道１１は傾斜していて、納骨口１２に入れたお骨が自然に滑って納骨空間１０へ落ちるようになっている。同図の１３は納骨蓋であり、この納骨蓋１３を取り外すならば納骨空間１０へ通じる納骨道１１の納骨口１２が開口することになる。
【００１０】
本発明は納骨口１２から納骨空間１０へ通じる道を傾斜して、お骨が滑り落ちて納骨空間１０に納まるようにしたものであり、この納骨道１１の形態は特に限定しないことにする。図４は納骨道１４を示す別形態であるが、香炉７だけを加工して短い納骨道１４を設け、納骨口から入れたお骨は直ちに納骨空間１０に落下するようになっている。芝台１及び下台２は何ら加工されていない。
【００１１】
図５は芝台１を示しているが、納骨空間１０の正面側一部を切り欠いて傾斜した納骨道２１を形成している。前記図４に示した納骨道１４は芝台１を切り欠きすることなしに形成している為、お墓の真下付近にお骨を納めることは出来ないが、この実施例では納骨空間１０を小さくしてお墓の中央部に寄せている。従って芝台１を一部切り欠くことで納骨道２１を形成し、納骨口から入れたお骨はこの納骨道２１を滑って納骨空間１０へ納まる。図６はこの場合の縦断面を示しているが、下台２は何ら切り欠かれていない。
【００１２】
ところで、上記納骨口には納骨蓋１３が取り付けされている訳であり、図７はこの納骨蓋１３を示している具体例である。該納骨蓋１３は筒体１５、ツバ１６、及びツマミ１７から成り、筒体外周には板バネ１８、１８…が適当な箇所に取り付けされている。
【００１３】
納骨口１２に納骨蓋１３を取り付けした場合、板バネ１８、１８…は納骨口１２の内周に当接すると共にバネ力を作用して簡単に外れないようになっている。ツバ１６は納骨口１２の内径より大きくなっていて、香炉７の表面に当たって位置決めがなされ、それより奥には入らないようになっている。そして、蓋の正面は換気口と成る網目を有していて、この網目から空気が出入りすることが出来、納骨空間１０は換気される。そして同図から明らかなように、この納骨蓋１３は単に納骨口１２を塞ぐだけでなく、お墓の正面に取り付けることで該お墓を立派に見せることが出来る。
【００１４】
図８は納骨蓋１３を示す他の具体例であり、筒体１５の外周には同じく板バネ１８、１８…を有し、外径を大きくしたツバ１６を備えている。そしてツバ１６の中心から持ち手１９が延びている。また筒体１５を貫通する換気口２０、２０…が設けられ、この納骨蓋を取り付けた状態であっても納骨空間１０の換気が出来るようになっている。以上述べたように、本発明のお墓は納骨蓋を納骨口に取り付けし、納骨口から納骨空間へは傾斜した納骨道を形成したものであって、次のような効果を得ることが出来る。
【００１５】
【発明の効果】
本発明のお墓は芝台に納骨空間を設け、この納骨空間にお骨を納めるに際して、納骨空間へ通じる納骨口には納骨蓋を取り付けすることが出来るように成っている。従って、該納骨蓋を取り外して納骨口からお骨を簡単に入れることが出来る。納骨口に入ったお骨は傾斜した納骨道を通って納骨空間へ滑り落ちることになる。この納骨蓋の取り付け箇所は特に限定しないが、従来のような大きくて重い石を取り除いて納骨する必要がなく、子供や女性であっても簡単に行うことが出来る。
【００１６】
そして、該納骨蓋に換気口を形成することで、この換気口から空気が流れ込んで納骨空間内の空気の出入れが行われ、お骨が結露したりすることなく、より良い環境空間の中でお骨は土に返ることが出来るようになる。又納骨蓋は単に納骨口を塞ぐだけではなく、家紋をあしらうことでお墓を立派に見せる等の効果もある。
【図面の簡単な説明】
【図１】お墓の外観を示す具体例。
【図２】納骨空間を有す芝台の平面図。
【図３】納骨道を形成したお墓下端部の縦断面図。
【図４】納骨道を形成したお墓下の縦断面図。
【図５】芝台の一部を切り欠いて納骨道を形成した具体例。
【図６】図５に示す芝台を用いたお墓下端部の縦断面図。
【図７】納骨蓋の実施例。
【図８】納骨蓋の他の実施例。
【符号の説明】
１  芝台
２  下台
３  上台
４  蓮華
５  仏石
６  花立て
７  香炉
８  石
９  石
10  納骨空間
11  納骨道
12  納骨口
13  納骨蓋
14  納骨道
15  筒体
16  ツバ
17  ツマミ
18  板バネ
19  持ち手
20  換気口
21  納骨道
【図１】
0004023647.tif 000002
【図２】
0004023647.tif 000003
【図３】
0004023647.tif 000004
【図４】
0004023647.tif 000005
【図５】
0004023647.tif 000006
【図６】
0004023647.tif 000007
【図７】
0004023647.tif 000008
【図８】
0004023647.tif 000009